(57)【要約】      （修正有）【課題】導電端子の線挟持デバイスを提供する。【解決手段】導電体１及び弾片２を有する。導電体１には導電面１３を設置し、弾片２には弾挟端２１を設置し、導電面１３へと向かい弾性プッシュを生じる。導電面１３と弾挟端２１の弾性プッシュの区間は電線の挿入及び抜き出し方向に相対して挟口を形成する。導電面１３及び／或いは弾挟端２１上には凹凸構造１３０を設置し、凹凸構造１３０には挿入及び抜き出し方向（縦方向など）に沿って延伸する多数のリッジ部１３１及び溝部１３２を設置する。外部電線を挟口に挿入すると、弾片２の弾挟端２１は電線を弾性プッシュし導電面１３上に密着させる。同時に導電面１３と弾挟端２１は凹凸構造１３０、２１０のリッジ部１３１、２１１及び溝部１３２、２１２により、電線を緊密に挟持し、リッジ部１３１、２１１及び溝部１３２、２１２の縦方向ラインは電線の弾挟端２１両側方向（横方向など）への偏移スライドを制限し、電線を挟口内に堅固に定位できる。【選択図】図４
0003209739.tif 000002
【実用新案登録請求の範囲】
【請求項１】
導電端子の線挟持デバイスであって、導電体及び弾片を有し、
前記導電体には、導電面を設置し、
前記弾片には、弾挟端を設置し、前記導電面へと弾性プッシュを生じることができ、
前記導電面と弾挟端の弾性プッシュの区間は、電線の挿入及び抜き出し方向に相対して挟口を形成し、前記導電面及び弾挟端上の少なくとも一つには、凹凸構造を設置し、
前記凹凸構造には、前記挿入及び抜き出し方向に沿って延伸する多数のリッジ部及び溝部を設置することを特徴とする導電端子の線挟持デバイス。
【請求項２】
前記導電面のリッジ部及び溝部と前記弾挟端のリッジ部及び溝部は、相互に噛み合うことを特徴とする請求項１に記載の導電端子の線挟持デバイス。
【請求項３】
前記弾挟端のリッジ部は、前記導電面のリッジ部に対応し、
前記弾挟端の溝部は、前記導電面の溝部に対応することを特徴とする請求項１に記載の導電端子の線挟持デバイス。
【請求項４】
前記溝部は、相互に隣り合うリッジ部の間に設置することを特徴とする請求項１乃至３のいずれかに記載の導電端子の線挟持デバイス。
【請求項５】
前記凹凸構造は、鋸歯形態に設置することを特徴とする請求項１乃至４のいずれかに記載の導電端子の線挟持デバイス。
【請求項６】
前記導電体には、基板及び接線板を設置し、
前記基板は、前記挟口に相対し、
前記接線板は、前記基板より前記挟口方向へと延伸し、
前記導電面は、前記接線板上に設置し、
前記接線板及び弾片の外周には、環状枠を嵌めて設置し、
前記弾片には、定位端、及び前記弾挟端と定位端との間に連接される湾曲セクションを設置し、
前記定位端は、前記環状枠上に結合されることを特徴とする請求項１乃至５のいずれかに記載の導電端子の線挟持デバイス。
【考案の詳細な説明】
【技術分野】
【０００１】
本考案は導電端子の線挟持デバイスに関し、特に導電面と弾片を採用し外部電線を挟持する導電端子で、電線の弾片両側への横方向偏移スライドを制限でき、電線に対する挟持と脱落防止効果を強化できる導電端子の線挟持デバイスに関する。
【背景技術】
【０００２】
導電端子とは電子或いは電機パーツ間の電線、或いは電子、電機パーツの電線を回路基板上へ連接する。電子、電機パーツは、エレクトリックレジスター、キャパシター、インダクタンス、モーター、変圧器、リレー、発電機等を有する。これにより、電源或いは電子信号を伝送し、電子製品、モーター設備内部の電子、電機パーツと回路基板との間の配置及びメンテナンスの便を図る。
【０００３】
従来の導電端子は図１に示す通り、導電体１ａ、弾片２ａ及び保護環状枠３ａを有する。環状枠３ａは、導電体１ａと弾片２ａの外周を包み込む。導電体１ａ上には、導電面１３ａを設置する。弾片２ａは、導電面１３ａへ延伸する弾挟端２１ａを有し、導電面１３ａへと弾性プッシュを生じる。しかも、導電面１３ａと弾片２ａ弾挟端２１ａの間には、挟口１０ａを形成する（図２に示す通り）。導電体１ａ、弾片２ａ及び環状枠３ａは通常は、プラスチック材料により製造される絶縁ハウジング（図示なし）内に設置される。しかも、導電体１ａは、他の電線或いは回路基板（図示なし）に連接することができる。
【０００４】
図２に示す通り、使用時には、外部電線４は、プラスチックハウジングを通過し、挟口１０ａ中に挿入される。これにより、電線４は、弾挟端２１ａと導電面１３ａの間に挟持される。こうして、電源或いは電子信号は、導電体１ａを経由して電線４へと伝導され、或いは電線４により導電体１ａへと伝導される。
さらに図２に示す通り、導電面１３ａは平面で、しかも弾片２ａの弾挟端２１ａは、導電面１３ａの部分に接触し、直線状を呈する。そのため、挟口１０ａがクローズすると、導電面１３ａと弾挟端２１ａの間は、平面と直線が相互に平行な接触の状態を形成する。もし、挟口１０ａの内、外方向を縦方向Ｚと定義するなら、縦方向Ｚに相対し、平面と直線が相互に平行接触する直線延伸方向を横方向Ｘと定義し、即ち横方向Ｘは弾挟端２１ａの両側方向である。外力が、電線４を、縦方向Ｚに沿って挟口１０ａへと、引っ張ると、導電面１３ａと弾挟端２１ａは、電線４を挟持する。
【０００５】
しかし、外力が横方向Ｘに沿って弾挟端２１ａ両側へと、左、右交互に電線４を引っ張ると、導電面１３ａと弾挟端２１ａの間は、平面と直線が相互に平行接触する状態であるため、電線４は、導電面１３ａと弾挟端２１ａの間で、横方向Ｘに沿って往復スライドしやすい。しかも、外力が、横方向Ｘに沿って、弾挟端２１ａ片側へと電線４を引っ張る瞬間、電線４断面は、弾挟端２１ａ片側の部分に向かい、スライド前にてこの支点を自然に形成する。こうして、外力は、支点により電線４断面に対して、弾挟端２１ａのもう一方側の部分へとてこ作用を生じ、縦方向Ｚへと施力するベクトルポイントを形成する。これにより、電線４断面を、弾挟端２１ａのもう一方側の部分へと駆動し、導電面１３ａと弾挟端２１ａの挟持力を克服してしまい、縦方向Ｚに沿って、挟口１０ａへ向かい外へとスライドしてしまう。
同じ理由で、外力が横方向Ｘに沿って、弾挟端２１ａのもう一方側へと電線４を引っ張る瞬間、電線４断面を弾挟端２１ａ片側の部分へと駆動し、縦方向Ｚに沿って、挟口１０ａへ向かい外へとスライドする。よって、導電面１３ａと弾片２ａの横方向Ｘの滑り止め効果は明らかに不良で、最終的には電線４は挟口１０ａから脱出してしまう。
【考案の概要】
【考案が解決しようとする課題】
【０００６】
本考案の目的は、弾片両側への、電線の横方向偏移スライドを制限し、電線の挟持と脱落防止効果を強化できる導電端子の線挟持デバイスで、導電面が平面で、しかも導電端子の弾片弾挟端が直線状を呈するため、電線の横方向に対する滑り止め効果が不良で、左右交互に横方向に往復スライドさせる方式で電線を引っ張ると、導電端子の挟口中から電線が抜き出されてしまうという従来の導電端子の問題を解決できる導電端子の線挟持デバイスに関する。
【課題を解決するための手段】
【０００７】
上述の目的を実現するために、本考案による導電端子の線挟持デバイスは、導電体及び弾片を有する。該導電体には、導電面を設置する。該弾片には、弾挟端を設置し、該導電面へと弾性プッシュを生じることができ、該導電面と弾挟端の弾性プッシュの区間は、電線の挿入及び抜き出し方向に相対して挟口を形成し、該導電面及び／或いは弾挟端上には凹凸構造を設置し、該凹凸構造には、該挿入及び抜き出し方向に沿って延伸する多数のリッジ部及び溝部を設置する。
【０００８】
該挟口の内、外方向を縦方向と定義し、該弾挟端両側方向を横方向と定義する状況下で、外部電線を該挟口に挿入すると、該弾片の弾挟端は、電線を弾性プッシュし、導電面上に密着させられる。同時に、該導電面と弾挟端とは、該凹凸構造のリッジ部及び溝部により電線を緊密に噛み付け、これにより該電線は、各リッジ部の間の溝部内に挟持固定され、或いは各リッジ部に該電線を挟んで嵌入する。
この時、もし外力が横方向に沿って該弾挟端両側へと、左、右交互に該電線を引っ張ると、該電線は、該凹凸構造のリッジ部及び溝部の緊密な噛み付け及び挟持固定作用により、該リッジ部及び溝部の縦方向ラインは、該電線の、該弾挟端両側方向（横方向）への偏移スライドを制限し、こうして該電線を強制固定できる。これにより、該電線を該挟口内に堅固に定位でき、該導電体及び弾片の、該電線に対する挟持及び脱落防止効果を強化できる。
【０００９】
本考案において、該導電面のリッジ部及び溝部と該弾挟端のリッジ部及び溝部は相互に噛み合う。或いは、該弾挟端のリッジ部は、該導電面のリッジ部に対応し、該弾挟端の溝部は、該導電面の溝部に対応する。
【００１０】
本考案において、該溝部は、相互に隣り合うリッジ部の間に設置する。
【００１１】
本考案において、該凹凸構造は、鋸歯形態に設置する。
【００１２】
本考案において、該導電体には、基板及び接線板を設置し、該基板は、該挟口に相対し、該接線板は、該基板より該挟口方向へと延伸し、該導電面は、該接線板上に設置する。該接線板及び弾片の外周には、環状枠を嵌めて設置し、該弾片には、定位端、及び該弾挟端と定位端との間に連接される湾曲セクションを設置する。該定位端は、該環状枠上に結合される。
【考案の効果】
【００１３】
本考案による導電端子の線挟持デバイス、は弾片両側への、電線の横方向偏移スライドを制限し、電線の挟持と脱落防止効果を強化できる導電端子の線挟持デバイスで、導電面が平面で、しかも導電端子の弾片弾挟端が直線状を呈するため、電線の横方向に対する滑り止め効果が不良で、左右交互に横方向に往復スライドさせる方式で電線を引っ張ると、導電端子の挟口中から電線が抜き出されてしまうという従来の導電端子の問題を解決できる。
【図面の簡単な説明】
【００１４】
【図１】従来の導電端子の立体分解図である。
【図２】図１の導電体と弾片の使用状態模式図である。
【図３】本考案の立体図である。
【図４】図３の立体分解図である。
【図５】図３の使用状態の断面図である。
【図６】図５の導電体と弾片の使用状態模式図である。
【考案を実施するための形態】
【００１５】
以下に本考案の技術内容、構造特徴、達成する目的及び作用効果について、以下に例を挙げ並びに図面を組み合わせて詳細に説明する。
【００１６】
図３及び４図に示す通り、本考案による導電端子の線挟持デバイスは、導電体１、弾片２及び環状枠３を有する。
導電体１には、基板１１及び接線板１２を設置し、しかも接線板１２上には、導電面１３を設置し、該導電体１により外部の電線或いは回路基板（図示なし）を連接する。
弾片２には、弾挟端２１を設置し、該導電面１３に対応する位置より、該導電面１３に向かい弾性プッシュ作用を生じることができる。導電面１３と弾挟端２１の弾性プッシュの区間は、電線の挿入及び抜き出し方向に相対して、挟口１０を形成する。基板１１は、挟口１０に相対し、接線板１２は、基板１１より挟口１０方向へと延伸する。
環状枠３は、接線板１２及び弾片２の外周に嵌めて設置し、これにより導電面１３は、環状枠３内面に位置する。弾片２には、定位端２２、及び弾挟端２１と定位端２２との間に連接される湾曲セクション２３を設置する。定位端２２は、該環状枠３内壁の、該導電面１３に向かう位置に結合される。
【００１７】
図４及び図６に示す通り、導電面１３及び／或いは弾挟端２１上には凹凸構造１３０、２１０を設置する。好ましい実施形態において、導電面１３と弾挟端２１上には、それぞれ凹凸構造１３０、２１０を設置する。弾挟端２１の凹凸構造２１０は、該導電面１３の凹凸構造１３０を弾性プッシュできる。
凹凸構造１３０、２１０は、鋸歯形態に形成でき、しかも凹凸構造１３０、２１０には、挿入及び抜き出し方向（即ち挟口１０の内、外方向）に沿って延伸する多数リッジ部１３１、２１１及び溝部１３２、２１２を設置する。溝部１３２（２１２）は、相互に隣り合うリッジ部１３１（２１１）の間に設置し、しかも導電面１３のリッジ部１３１と溝部１３２は、弾挟端２１のリッジ部２１１及び溝部２１２とは相互に噛み合う。
或いは、弾挟端２１のリッジ部２１１は、導電面１３のリッジ部１３１に対応し、弾挟端２１の溝部２１２は、導電面１３の溝部１３２に対応し、これにより弾挟端２１のリッジ部２１１は、導電面１３のリッジ部１３１を弾性プッシュできる。
【００１８】
図５及び図６に示す通り、挟口１０の内、外方向を縦方向Ｚと定義し、弾挟端２１両側方向を横方向Ｘと定義する状況下で、外部電線４を挟口１０に挿入すると、弾片２の弾挟端２１は、電線４を弾性プッシュし、導電面１３上に密着させられる。同時に、導電面１３と弾挟端２１は、凹凸構造１３０、２１０のリッジ部１３１、２１１及び溝部１３２、２１２により、電線４を緊密に挟持し、これにより該電線４は、各リッジ部１３１（２１１）の間の溝部１３２（２１２）内に挟持固定され、或いは各リッジ部１３１、２１１に該電線４を挟んで嵌入する。
この時、もし外力が横方向Ｘに沿って弾挟端２１両側へと左、右交互に電線４を引っ張ると、電線４は、凹凸構造１３０、２１０のリッジ部１３１、２１１及び溝部１３２、２１２の緊密な噛み付け及び挟持固定作用により、リッジ部１３１、２１１及び溝部１３２、２１２の縦方向Ｚラインは、電線４の、弾挟端２１両側方向（横方向Ｘ）への偏移スライドを制限し、こうして電線４を強制固定できる。これにより、該電線４を該挟口１０内に堅固に定位でき、該導電体１及び弾片２の、該電線４に対する挟持及び脱落防止効果を強化できる。
【００１９】
これにより、本考案電線４の、該弾片２両側への横方向Ｘ偏移スライドを制限でき、該挟口１０の該電線４に対する挟持及び脱落防止効果を強化できる。こうして、導電端子の導電面が平面で、しかも導電端子の弾片の弾挟端が直線状を呈することで、電線の横方向に対する滑り止め効果が不良で、左右交互に横方向に往復スライドさせる方式で電線を引っ張ると、導電端子の挟口中から電線が抜き出されてしまうという従来の構造の問題を解決できる。
【００２０】
以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００２１】
１、１ａ  導電体
１０、１０ａ  挟口
１１  基板
１２  接線板
１３、１３ａ  導電面
１３０、２１０  凹凸構造
１３１、２１１  リッジ部
１３２、２１２  溝部
２、２ａ  弾片
２１、２１ａ  弾挟端
２２  定位端
２３  湾曲セクション
３、３ａ  環状枠
４  電線
Ｚ  縦方向
Ｘ  横方向
【図１】
0003209739.tif 000003
【図２】
0003209739.tif 000004
【図３】
0003209739.tif 000005
【図４】
0003209739.tif 000006
【図５】
0003209739.tif 000007
【図６】
0003209739.tif 000008